(57)【要約】【課題】  収録された映像音声を放送している場合であっても、緊急時および異常時には、必要な効果処理がなされた映像音声を、品質を低下させることなく送出すること。【解決手段】  実施形態によれば、コンテンツ送出システムは、品質確認済みの放送用のコンテンツを記憶するストリーマ部と、記憶されたコンテンツが、放送時に、ストリーマ部から出力される多重化部と、ストリーマ部から多重化部へコンテンツが出力されている間、コンテンツの素材情報に対して効果処理を行う効果処理部と、効果処理された素材情報をエンコードするエンコーダとを備える。多重化部はさらに、エンコーダによってエンコードされた素材情報を多重化することによって、効果処理されたコンテンツを生成し、放送のために、通常時にはストリーマ部から出力されたコンテンツを送出し、緊急時および異常時には効果処理されたコンテンツを送出する。【選択図】図１
2019197966.tif 000002
【特許請求の範囲】
【請求項１】
放送用のコンテンツを送出するコンテンツ送出システムであって、
品質確認済みの放送用のコンテンツを記憶するとともに、前記コンテンツをストリームとして出力するためのストリーマ部と、
前記ストリーマ部に記憶されたコンテンツが、放送時に、前記ストリーマ部から出力される多重化部と、
前記ストリーマ部から前記多重化部へコンテンツが出力されている間、前記コンテンツの素材情報に対して効果処理を行う効果処理部と、
前記効果処理部によって効果処理された素材情報をエンコードするエンコーダとを備え、
前記多重化部はさらに、前記エンコーダによってエンコードされた素材情報を多重化することによって、効果処理されたコンテンツを生成し、放送のために、通常時には前記ストリーマ部から出力されたコンテンツを送出し、緊急時および異常時には前記効果処理されたコンテンツを送出する、コンテンツ送出システム。
【請求項２】
前記ストリーマ部に記憶されたコンテンツは、エンコード済みであり、このエンコードに関する符号化パラメータを保存する保存部をさらに備え、
前記エンコーダは、前記保存部に保存された符号化パラメータに従って、前記素材情報をエンコードする、請求項１に記載のコンテンツ送出システム。
【請求項３】
前記コンテンツが前記ストリーマ部に記憶された後、前記コンテンツの素材情報に変化があった場合、前記エンコーダは、前記保存部に保存された符号化パラメータに依存することなく前記素材情報をエンコードする、請求項２に記載のコンテンツ送出システム。
【請求項４】
前記ストリーマ部、前記多重化部、前記効果処理部、前記エンコーダ、および前記保存部のうち少なくとも何れかが、同一場所に配置されていない、請求項２または３に記載のコンテンツ送出システム。
【請求項５】
前記多重化部は、前記通常時に、前記ストリーマ部から出力されたコンテンツを送出している間に、前記緊急時または前記異常時に変化した場合、前記ストリーマ部から出力されたコンテンツの送出を停止し、前記効果処理されたコンテンツの送出へ切り替える、請求項１乃至４のうち何れか１項に記載のコンテンツ送出システム。
【請求項６】
前記多重化部は、前記緊急時または前記異常時に、前記効果処理されたコンテンツを送出している間に、前記通常時に変化した場合、前記効果処理されたコンテンツの送出を停止し、前記ストリーマ部から出力されたコンテンツの送出へ切り替える、請求項５に記載のコンテンツ送出システム。
【請求項７】
前記緊急時または前記異常時から前記通常時に変化した場合、前記多重化部は、前記ストリーマ部から出力されたコンテンツの送出を、所定時間経過後に開始する、請求項６に記載のコンテンツ送出システム。
【請求項８】
前記ストリーマ部から前記多重化部へコンテンツが出力されるタイミングと、前記多重化部によってコンテンツが生成されるタイミングとが同期するように、前記ストリーマ部、前記エンコーダ、および前記多重化部へ同期信号を出力する同期信号出力部をさらに備える、請求項１乃至７のうち何れか１項に記載のコンテンツ送出システム。
【請求項９】
放送用のコンテンツを送出するコンテンツ送出システムであって、
前記コンテンツの素材情報に対して効果処理を行う第１の効果処理部と、
前記効果処理された素材情報をエンコードする第１のエンコーダと、
前記エンコードされた素材情報を多重化することによって、前記放送用のコンテンツを生成する第１の多重化部と、
前記生成されたコンテンツを、品質確認後に記憶するとともに、前記記憶されたコンテンツをストリームとして出力するためのストリーマ部と、
前記ストリーマ部に記憶されたコンテンツが、放送時に、前記ストリーマ部から出力される出力選択部と、
前記ストリーマ部から前記出力選択部へコンテンツが出力されている間、前記コンテンツの素材情報に対して効果処理を行う第２の効果処理部と、
前記第２の効果処理部によって効果処理された素材情報をエンコードする第２のエンコーダと、
前記第２のエンコーダによってエンコードされた素材情報を多重化することによって、効果処理されたコンテンツを生成する第２の多重化部とを備え、
前記出力選択部は、放送のために、通常時には前記ストリーマ部から出力されたコンテンツを送出し、緊急時および異常時には前記効果処理されたコンテンツを送出する、コンテンツ送出システム。
【請求項１０】
前記出力選択部によってコンテンツが送出されている間に、前記第１の効果処理部、前記第１のエンコーダ、および前記第１の多重化部が動作することによって、別の放送用のコンテンツを生成する、請求項９に記載されたコンテンツ送出システム。
【請求項１１】
前記第１のエンコーダによってなされたエンコードに関する符号化パラメータを保存する保存部をさらに備え、
前記第２のエンコーダは、前記保存部に保存された符号化パラメータに従って、前記素材情報をエンコードする、請求項９または１０に記載のコンテンツ送出システム。
【請求項１２】
前記コンテンツが前記ストリーマ部に記憶された後、前記コンテンツの素材情報に変化があった場合、前記第２のエンコーダは、前記保存部に保存された符号化パラメータに依存することなく前記素材情報をエンコードする、請求項１１に記載のコンテンツ送出システム。
【請求項１３】
前記ストリーマ部、前記第１および第２の多重化部、前記第１および第２の効果処理部、前記第１および第２のエンコーダ、前記出力選択部、および前記保存部のうち少なくとも何れかが、同一場所に配置されていない、請求項１１または１２に記載のコンテンツ送出システム。
【請求項１４】
前記出力選択部が、前記通常時に、前記ストリーマ部から出力されたコンテンツを送出している間に、前記緊急時または前記異常時に変化した場合、
前記出力選択部は、前記ストリーマ部から出力されたコンテンツの送出を停止し、前記第２の多重化部によって生成されたコンテンツの送出へ切り替え、
前記第１の効果処理部は、前記出力選択部からコンテンツが出力されている間、前記コンテンツの素材情報に対して効果処理を行い、
前記第１のエンコーダは、前記第１の効果処理部によって効果処理された素材情報をエンコードし、
前記第１の多重化部は、前記第１のエンコーダによってエンコードされた素材情報を多重化することによって、効果処理されたコンテンツを生成する、請求項９乃至１３のうち何れか１項に記載のコンテンツ送出システム。
【請求項１５】
前記出力選択部は、前記緊急時または前記異常時に、前記第２の多重化部によって生成されたコンテンツを送出している間に、前記通常時に変化した場合、前記第２の多重化部によって生成されたコンテンツの送出を停止し、前記ストリーマ部から出力されたコンテンツの送出へ切り替える、請求項１４に記載のコンテンツ送出システム。
【請求項１６】
前記緊急時または前記異常時から前記通常時に変化した場合、前記出力選択部は、前記ストリーマ部から出力されたコンテンツの送出を、所定時間経過後に開始する、請求項１５に記載のコンテンツ送出システム。
【請求項１７】
前記切り替えは、コンテンツＧＯＰ境界においてなされる、請求項５、６、１４、および１５のうち何れか１項に記載のコンテンツ送出システム。
【請求項１８】
前記切り替え後のコンテンツの最初のＧＯＰは、クローズドＧＯＰ構造である、請求項１７に記載のコンテンツ送出システム。
【請求項１９】
前記符号化パラメータは、エンコード時の符号量制御に関するパラメータを含む、請求項２または１１に記載のコンテンツ送出システム。
【請求項２０】
前記異常時は、前記ストリーマ部の動作異常時を含みと、前記緊急時は、緊急情報の通知を要する場合を含む、請求項１乃至１９のうち何れか１項に記載のコンテンツ送出システム。
【請求項２１】
前記効果処理は、番組とＣＭとの切替処理、スーパー処理、およびＬ字処理のうちの少なくとも何れかを含む、請求項１乃至２０のうち何れか１項に記載のコンテンツ送出システム。
【請求項２２】
放送用のコンテンツを送出するコンテンツ送出システムによって実施される方法であって、
前記コンテンツ送出システムは、ストリーマ部、多重化部、効果処理部、およびエンコーダを備え、
品質確認済みの放送用のコンテンツを前記ストリーマ部に記憶し、
前記ストリーマ部は、前記記憶されたコンテンツを、放送時に、前記多重化部へストリームとして出力し、
前記ストリーマ部から前記多重化部へコンテンツが出力されている間、前記効果処理部が、前記コンテンツの素材情報に対して効果処理を行い、
前記エンコーダが、前記効果処理された素材情報をエンコードし、
前記多重化部が、前記エンコードされた素材情報を多重化することによって、効果処理されたコンテンツを生成し、
前記多重化部が、放送のために、通常時には前記ストリーマ部から出力されたコンテンツを送出し、緊急時および異常時には前記効果処理されたコンテンツを送出する、コンテンツ送出方法。
【請求項２３】
放送用のコンテンツを送出するためのプログラムであって、
品質確認済みの放送用のコンテンツをストリーマ部に記憶する機能、
前記ストリーマ部に対して、前記記憶されたコンテンツを、放送時に、ストリームとして出力させる機能、
前記ストリーマ部からコンテンツが出力されている間、前記コンテンツの素材情報に効果処理を実行する機能、
前記効果処理された素材情報をエンコードする機能、
前記エンコードされた素材情報を多重化し、効果処理されたコンテンツを生成する機能、
放送のために、通常時には前記ストリーマ部から出力されたコンテンツを送出し、緊急時および異常時には前記効果処理されたコンテンツを送出する機能、をコンピュータに実現させるためのプログラム。
【請求項２４】
放送用のコンテンツを送出するコンテンツ送出システムによって実施される方法であって、
前記コンテンツ送出システムは、ストリーマ部、第１および第２の多重化部、第１および第２の効果処理部、第１および第２のエンコーダ、および出力選択部を備え、
前記第１の効果処理部が、前記コンテンツの素材情報に対して効果処理を行い、前記第１のエンコーダが、前記効果処理された素材情報をエンコードし、前記第１の多重化部が、前記エンコードされた素材情報を多重化することによって、前記放送用のコンテンツを生成し、
前記生成されたコンテンツを、品質確認後に、前記ストリーマ部に記憶し、
放送時に、前記ストリーマ部が、前記記憶されたコンテンツをストリームとして前記出力選択部へ出力し、
前記ストリーマ部から前記出力選択部へコンテンツが出力されている間、前記第２の効果処理部が、前記コンテンツの素材情報に対して効果処理を行い、前記第２のエンコーダが、前記第２の効果処理部によって効果処理された素材情報をエンコードし、前記第２の多重化部が、前記第２のエンコーダによってエンコードされた素材情報を多重化することによって、効果処理されたコンテンツを生成し、
前記出力選択部が、放送のために、通常時には前記ストリーマ部から出力されたコンテンツを送出し、緊急時および異常時には前記効果処理されたコンテンツを送出する、コンテンツ送出方法。
【請求項２５】
放送用のコンテンツを送出するためのプログラムであって、
前記コンテンツの素材情報に対する効果処理を行う機能、
前記効果処理された素材情報をエンコードする機能、
前記エンコードされた素材情報を多重化し、前記放送用のコンテンツを生成する機能、
前記生成されたコンテンツを、品質確認後に、ストリーマ部に記憶する機能、
前記ストリーマ部に対して、前記記憶されたコンテンツを、放送時に、ストリームとして出力させる機能、
前記ストリーマ部から前記コンテンツが出力されている間、前記コンテンツの素材情報に効果処理を行う機能、
この効果処理された素材情報をエンコードする機能、
このエンコードされた素材情報を多重化し、効果処理されたコンテンツを生成する機能、
放送のために、通常時には前記ストリーマ部から出力されたコンテンツを送出し、緊急時および異常時には前記効果処理されたコンテンツを送出する機能、をコンピュータに実現させるためのプログラム。
【請求項２６】
コンテンツが別のエンコーダによって事前になされたエンコードに関する符号化パラメータに従って、前記コンテンツをエンコードする、エンコーダ。
【請求項２７】
前記符号化パラメータは、前記別のエンコーダによって事前にエンコードされた際に保存される、請求項２６に記載のエンコーダ。
【請求項２８】
前記符号化パラメータは、外部から与えられる、請求項２６または２７に記載のエンコーダ。
【請求項２９】
前記符号化パラメータは、ピクチャタイプおよびレート制御用情報を含む、請求項２６乃至２８のうち何れか１項に記載のエンコーダ。
【請求項３０】
前記符号化パラメータに加えて、エンコーダ制御情報に従って、前記コンテンツをエンコードする、請求項２６乃至２９のうち何れか１項に記載のエンコーダ。
【請求項３１】
前記エンコーダ制御情報は、ビットレート、画像サイズ、およびモードのうちの少なくとも何れかを含む、請求項３０に記載のエンコーダ。
【発明の詳細な説明】
【技術分野】
【０００１】
本発明の実施形態は、例えば、地上デジタル放送システム、衛星放送システム、ＩＰ再送信システム等のような放送システムや配信システムに適用されるエンコーダ、コンテンツ送出システム、方法、およびプログラムに関する。
【背景技術】
【０００２】
従来、地上デジタル放送システムでは、緊急時には、天気予報の文字スーパーや、地震速報等の文字スーパーが映像上にオーバーレイされたり、チャイム等が音声上にミックスされることによって、放送送出時にリアルタイム処理で映像や音声がエンコードされている。なぜなら、天気予報スーパーや地震速報文字スーパーは、あらかじめ決まったものではなく、放送送出時（もしくは直前）に決まるものであるからである。また、系列局からリアルタイムで映像音声が送られてくる場合や生放送の場合も、映像音声はあらかじめ決まったものではなく、放送送出時に決まるものであり、以降の説明では緊急時と同様の扱いとする。
【０００３】
非特許文献１には、この種の地上デジタル放送システムのマスター設備が開示されている。このマスター設備には、映像音声のフェーダ処理、スーパー処理、Ｌ字スーパー処理といった効果処理を行うためのＭＫ部およびＤＶＥ部や、標準解像度ビデオ（以下、「ＳＤ」と称する）や高精細度ビデオ（以下、「ＨＤ」と称する）のためのエンコーダおよび多重化装置（以下、「ＭＵＸ」と称する）が設けられている。
【０００４】
前述した天気予報や地震速報等の文字スーパーは、ＭＫ部で処理され、例えば映像が、画面における右上側へと縮小され、それによって映像が存在しなくなった画面上のＬ字形領域に、文字スーパーが表示あるいはスクロールされた上で、エンコーダへ送られている。
【先行技術文献】
【非特許文献】
【０００５】
【非特許文献１】ＮＥＣ技法  Ｖｏｌ．５７  Ｎｏ．４／２００４、ｐ８〜１２、「地上デジタル放送用マスター設備の概要」
【非特許文献２】http://www.mpeg.org/MPEG/MSSG/tm5/Ch10/Ch10.html  （平成３０年５月１日検索）
【発明の概要】
【発明が解決しようとする課題】
【０００６】
しかしながら、このような従来の地上デジタル放送システムでは、以下のような問題がある。
【０００７】
すなわち、放送前にあらかじめ品質確認（以下、「ＱＣ（Ｑｕａｌｉｔｙ  Ｃｈｅｃｋ）」とも称する）された上で収録されている映像音声に対し、あらかじめ決められた文字スーパー処理や画面スーパー処理を行った後にエンコードおよび多重化を行うことによって生成されたＴＳ（Ｔｒａｎｓｐｏｒｔ  Ｓｔｒｅａｍ）を、ＴＳ収録再生装置に収録し、放送時にＴＳ収録再生装置から再生して送出する場合、放送中に緊急事態が発生しても、映像音声上に、地震速報のスーパー文字の挿入や、Ｌ字画面処理といった新たな効果処理を行ってからエンコードおよび多重化したＴＳを送出することができないという問題がある。
【０００８】
このように、あらかじめ収録されている映像音声の放送時には、映像音声上に、新たな効果処理を行ってからエンコードおよび多重化したＴＳを送出することができないことから、ニュース速報の割り込みや野球放送等の延長時に、あらかじめオーバーレイされた時刻を修正することもできない。
【０００９】
上記問題を解決するために、データ放送（ＢＭＬやハイブリッドキャスト）を用い、受信機の機能によって地震速報のスーパー文字の挿入や、Ｌ字画面処理といった効果処理を行うことが考えられるが、この場合、速報性が落ちたり、データ放送非対応受信機では実現することができないために、根本的な解決にはならない。
【００１０】
また、あらかじめ収録された映像音声を放送するのではなく、番組とＣＭの切り替えや、画面上における文字スーパー処理や、画面スーパー処理といった効果処理と、その後のエンコードおよび多重化を、映像音声に対してリアルタイムで実施しながら放送するようにすれば、放送中に緊急事態が発生しても、映像音声上に、地震速報のスーパー文字の挿入や、Ｌ字画面処理といった新たな効果処理がなされたＴＳを送出できるようになる。
【００１１】
しかしながら、この場合、効果処理や、エンコードの不良により、映像音声に、切替タイミングのずれによって生じるチラ見えや、文字スーパーや画面スーパーの不体裁（漢字の誤変換、人名表記間違い、本来スーパーを乗せない箇所へのスーパー、ブロックノイズのようなエンコード時の極端な画質劣化等）が含まれる場合であってもそのまま放送されてしまうので、低品質な映像音声が放送される恐れがあるという問題がある。
【００１２】
本発明が解決しようとする課題は、あらかじめ収録された映像音声を放送している場合であっても、緊急時および異常時には、スーパー文字の挿入等、必要な効果処理がなされた映像音声を、品質を低下させることなく送出することが可能なエンコーダ、コンテンツ送出システム、方法、およびプログラムを提供することである。
【課題を解決するための手段】
【００１３】
実施形態のコンテンツ送出システムは、品質確認済みの放送用のコンテンツを記憶するとともに、コンテンツをストリームとして出力するためのストリーマ部と、ストリーマ部に記憶されたコンテンツが、放送時に、ストリーマ部から出力される多重化部と、ストリーマ部から多重化部へコンテンツが出力されている間、コンテンツの素材情報に対して効果処理を行う効果処理部と、効果処理部によって効果処理された素材情報をエンコードするエンコーダとを備える。多重化部はさらに、エンコーダによってエンコードされた素材情報を多重化することによって、効果処理されたコンテンツを生成し、放送のために、通常時にはストリーマ部から出力されたコンテンツを送出し、緊急時および異常時には効果処理されたコンテンツを送出する。
【図面の簡単な説明】
【００１４】
【図１】第１の実施形態に係るコンテンツ送出方法が適用されたコンテンツ送出システムの構成例を示す概念図である。
【図２】第１の実施形態に係るコンテンツ送出方法が適用されたコンテンツ送出システムの各系統の動作タイミングの一例を示す図である。
【図３】第２の実施形態に係るコンテンツ送出方法が適用されたコンテンツ送出システムの構成例を示す概念図である。
【図４】第２の実施形態に係るコンテンツ送出方法が適用されたコンテンツ送出システムの各系統の動作タイミングの一例を示す図である。
【発明を実施するための形態】
【００１５】
以下に、本発明の各実施形態を、図面を参照して説明する。
【００１６】
［第１の実施形態］
本発明の第１の実施形態について説明する。
【００１７】
図１は、第１の実施形態に係るコンテンツ送出方法が適用されたコンテンツ送出システムの構成例を示す概念図である。
【００１８】
コンテンツ送出システム１０は、例えば、地上デジタル放送システム、衛星放送システム、ＩＰ再送信システム等のような放送システムや配信システムに適用され、効果処理部１２（＃１〜＃３）と、ＳＴＣ／ＧＯＰ（Ｓｙｓｔｅｍ  Ｔｉｍｅ  Ｃｌｏｃｋ／Ｇｒｏｕｐ  ｏｆ  ｐｉｃｔｕｒｅｓ）同期信号出力部１４と、メタデータ保存部１６と、ＴＳストリーマ部１８と、符号化部２０とを備える。
【００１９】
符号化部２０はさらにエンコーダ２２（例えば、ＨＤエンコーダ２２（＃１）、１ｓｅｇエンコーダ２２（＃２）、およびＳＤエンコーダ２２（＃３））と、多重化装置（以下、「ＭＵＸ」と称する）２４とを備える。なお、図１は、一例として３つのエンコーダ２２を図示しているが、エンコーダ２２の数は、３つに限定されず、２つ以下、あるいは、４つ以上であっても良い。また、ＳＴＣ／ＧＯＰ同期信号出力部１４、メタデータ保存部１６、ＴＳストリーマ部１８、ＨＤエンコーダ２２（＃１）、１ｓｅｇエンコーダ２２（＃２）、ＳＤエンコーダ２２（＃３）、およびＭＵＸ２４は、必ずしも同一場所に配置されている必要はなく、それぞれ遠隔地に配置されたシステム構成でも良い。
【００２０】
なお、本実施形態では、ＴＳストリーマ部１８からＭＵＸ２４へ至る系統を（系統０）、効果処理部１２から、エンコーダ２２を経由して、ＭＵＸ２４へ至る系統を（系統１）と称する。
【００２１】
ＳＴＣ／ＧＯＰ同期信号出力部１４は、ＴＳストリーマ部１８、各エンコーダ２２（＃１〜＃３）、およびＭＵＸ２４へ同期信号を出力することによって、ＴＳストリーマ部１８、各エンコーダ２２、およびＭＵＸ２４の図示しないＳＴＣカウンタのカウンタ値を一致させる。これによって、ＴＳストリーマ部１８からＭＵＸ２４へ映像音声のコンテンツがストリームとして出力されるタイミングと、各エンコーダ２２（＃１〜＃３）によってエンコードされた映像音声のコンテンツが、ＭＵＸ２４において生成されるタイミングとを同期させる。
【００２２】
ＴＳストリーマ部１８は、放送前に収録され、ＱＣ実施済の映像音声のコンテンツを記憶している。このコンテンツは、例えば、放送前に実施されるリハーサル放送において作成される。このリハーサル放送において、ＳＴＣカウンタは実際に放送される時刻を想定した値で動作していても良いし、リハーサルを行うタイミングにおけるＳＴＣカウンタの値でも良い。後者の場合、実際に放送を行うタイミングでリハーサル時のＳＴＣカウンタの値との差をオフセットとして求め、ＰＣＲ（Ｐｒｏｇｒａｍ  Ｃｌｏｃｋ  Ｒｅｆｅｒｅｎｃｅ）、ＰＴＳ（Ｐｒｅｓｅｎｔａｔｉｏｎ  Ｔｉｍｅ  Ｓｔａｍｐ、ＤＴＳ（Ｄｅｃｏｄｉｎｇ  Ｔｉｍｅ  Ｓｔａｍｐ）の値を補正し、ストリームとして出力する。また、前者の場合であっても、野球放送の延長後の番組（時刻スーパーがない場合）のように、放送される時刻が変わった場合、同様の補正を行う。
【００２３】
リハーサル放送では、あらかじめ番組を構成する要素や時刻が決まった時点で、放送時と同一条件で、効果処理部１２（＃１〜＃３）と等価な性能を有する３つの効果処理部（図示せず）によって、ＨＤ素材情報、１ｓｅｇ素材情報、およびＳＤ素材情報に対してそれぞれ番組とＣＭとの切替処理、スーパー処理、およびＬ字処理等といった効果処理が実施される。さらに、効果処理されたこれら各素材情報が、エンコーダ２２（＃１〜＃３）と等価な性能を有する３つのエンコーダ（図示せず）によってそれぞれエンコードされることによって、映像音声のコンテンツが生成される。
【００２４】
生成された映像音声のコンテンツは、オペレータによる目視あるいは専用装置によってＱＣが実施された後に、ＴＳストリーマ部１８に記憶される。
【００２５】
エンコードを実施したエンコーダ（図示せず）からは、エンコード時のピクチャタイプ（ＧＯＰ構造）、レート制御用情報、ピクチャ毎の符号量、レート制御、符号化バッファ占有量等に用いるパラメータである符号化パラメータが、メタデータ保存部１６へ送られ、メタデータ保存部１６に保存される。
【００２６】
なお、非特許文献２には、ＭＰＥＧ−２  Ｔｅｓｔ  Ｍｏｄｅｌ  ５のレート制御において使用される符号化パラメータが、以下の通り説明されている。
【００２７】
すなわち、非特許文献２では、Ｓｔｅｐ  １で符号量割当を行っているが、ＧＯＰ先頭でＩピクチャへの割当符号量Ｔｉを算出する時は、Ｘｉ、Ｘｐ、Ｘｂは過去に符号化した時に算出した値を用いる。Ｒは過去に符号化した時にこのＧＯＰで発生した符号量を用いる。以降のＰ、Ｂピクチャへの割当符号量Ｔｐ、Ｔｂを算出する時は、Ｘｐ、Ｘｂは過去に符号化した時に算出した値を用いる。Ｒは、そのピクチャより前に符号化したピクチャで発生した符号量の総和を引いた値を用いる。もし、各ピクチャへの割当符号量（Ｔｉ、Ｔｐ、Ｔｂの何れか）が、過去に符号化した時の割当符号量より多くなった場合、過去に符号化した時の割当符号量を用いる。
【００２８】
Ｓｔｅｐ２で画面内の符号量制御（マクロブロック毎の量子化パラメータの算出）を行っているが、仮想バッファの占有量ｄｉ０、ｄｐ０、ｄｂ０は、過去に符号化した時の占有量と、現在符号化を行って求めた占有量とのうちの大きい方の占有量を用いる。
【００２９】
次に、コンテンツ送出システム１０の説明に戻る。
【００３０】
コンテンツ送出システム１０の動作は、通常時と、緊急時および異常時とで異なる。よって、以下では、コンテンツ送出システム１０の動作を、通常時と、緊急時および異常時とに分けて説明する。
【００３１】
予定されている放送時刻になると、ＴＳストリーマ部１８は、通常時であれば（すなわち、緊急時でも異常時でもなければ）、記憶している映像音声のコンテンツを、直接、ＩＳＤＢのフレーム構造にして、ＳＴＣ／ＧＯＰ同期信号出力部１４から出力される同期信号に従って、ＭＵＸ２４へ、例えばＴＳ（Ｔｒａｎｓｐｏｒｔ  Ｓｔｒｅａｍ）のようなストリームとして出力する。
【００３２】
ＭＵＸ２４は、ＴＳストリーマ部１８からＴＳとして出力されたコンテンツを、放送のために、ＳＴＣ／ＧＯＰ同期信号出力部１４から出力される同期信号に従って送出する。
【００３３】
このようにして、コンテンツ送出システム１０は、通常時には、ＱＣ実施済みのコンテンツを送出し、放送する。しかもこれは、ＴＳストリーマ部１８からＭＵＸ２４へコンテンツを直接出力することによって実現されるために、ＴＳストリーマ部１８とＭＵＸ２４との間に介在する機器は存在しない。このため、機器故障や機器制御タイミングのずれによる放送不体裁の可能性は低い。
【００３４】
また、コンテンツ送出システム１０は、ＴＳストリーマ部１８からＭＵＸ２４へＴＳとしてコンテンツを出力している間に、効果処理部１２（＃１〜＃３）、エンコーダ２２（＃１〜＃３）、およびＭＵＸ２４を動作させることによって、ＴＳストリーマ部１８からＭＵＸ２４へ出力されている映像音声に対応する素材情報に対して、番組とＣＭとの切り替え、スーパーやＬ字処理といった効果処理を、放送の進行にあわせてリアルタイムで実施する。
【００３５】
この場合、効果処理部１２（＃１）は映像音声のＨＤ素材情報に対して、効果処理部１２（＃２）は映像音声の１ｓｅｇ素材情報に対して、効果処理部１２（＃３）は映像音声のＳＤ素材情報に対して、それぞれ効果処理を実施し、処理後の素材情報をそれぞれ対応するエンコーダ２２（＃１〜＃３）へ出力する。
【００３６】
エンコーダ２２（＃１）は、メタデータ保存部１６から、前述したような符号化パラメータを取得する。そして、効果処理部１２（＃１）から出力されたＨＤ素材情報を、これら符号化パラメータと、エンコーダ制御情報とに従ってエンコードし、エンコードしたＨＤ素材情報を、ＳＴＣ／ＧＯＰ同期信号出力部１４から出力される同期信号に従って、ＭＵＸ２４へ出力する。なお、エンコーダ制御情報は、ビットレート、画像サイズ、および音声モード等を含み、エンコーダ２２（＃１〜＃３）にあらかじめ設定されている。
【００３７】
同様に、エンコーダ２２（＃２）もまた、メタデータ保存部１６から、符号化パラメータを取得する。そして、効果処理部１２（＃２）から出力された１ｓｅｇ素材情報を、符号化パラメータと、エンコーダ制御情報とに従ってエンコードし、エンコードした１ｓｅｇ素材情報を、ＳＴＣ／ＧＯＰ同期信号出力部１４から出力される同期信号に従って、ＭＵＸ２４へ出力する。
【００３８】
エンコーダ２２（＃３）もまた、メタデータ保存部１６から、符号化パラメータを取得する。そして、効果処理部１２（＃３）から出力されたＳＤ素材情報を、符号化パラメータと、エンコーダ制御情報とに従ってエンコードし、エンコードしたＳＤ素材情報を、ＳＴＣ／ＧＯＰ同期信号出力部１４から出力される同期信号に従って、ＭＵＸ２４へ出力する。
【００３９】
このように、エンコーダ２２（＃１〜＃３）は、エンコードした素材情報を、ＭＵＸ２４へ出力する。
【００４０】
なお、映像音声のコンテンツがＴＳストリーマ部１８へ記憶された後、この映像音声のＨＤ素材情報、ＳＤ素材情報、１ｓｅｇ素材情報に変化があった場合、エンコーダ２２（＃１〜＃３）は、メタデータ保存部１６に保存された符号化パラメータに依存することなく、符号量制御を自走させて、エンコードを行う。
【００４１】
ＭＵＸ２４は、このようにして各エンコーダ２２（＃１〜＃３）から出力された、エンコードされた素材情報を多重化し、ＴＳストリーマ部１８からコンテンツが出力されるのと同期して映像音声のコンテンツを生成するものの、通常時には、放送のために、ＴＳストリーマ部１８から出力されたコンテンツを選択し、送出する。
【００４２】
次に、緊急時および異常時について説明する。
【００４３】
緊急時は、例えば、災害や事件等が発生し、災害や事件等に関する通知を緊急に要する場合である。異常時は、ＴＳストリーマ部１８が異常動作する場合である。緊急時には、例えば、気象庁や、テレビ局内の番組編成部から、緊急時制御情報が通知される。また、異常時であることは、ＴＳストリーマ部１８からコンテンツが正常に送信されなくことを、ＭＵＸ２４が認識することによって、検知される。
【００４４】
緊急時制御情報が通知された場合、または、異常が検知された場合、効果処理部１２（＃１〜＃３）は、映像が画面右上側に表示されるような縮小処理を行い、その結果得られる画面左側のＬ字形領域に、文字スーパーを表示あるいはスクロールするような効果処理を行い、効果処理された素材情報を、対応するエンコーダ２２（＃１〜＃３）へ出力する。これは効果処理部の処理の一例であり、画面をＬ字形にせずに文字スーパーのみを表示する等のバリエーションがあり、ここに記載される効果処理に限定されるものではない。また、音声に関してもチャイム音を被せる等の効果処理を行っても良い。
【００４５】
各エンコーダ（＃１〜＃３）は、対応する効果処理部１２（＃１〜＃３）から出力された素材情報を、前述したようにエンコードし、ＭＵＸ２４へ出力する。
【００４６】
ＭＵＸ２４は、放送のために送出するコンテンツを、（系統０）から出力されたコンテンツ、すなわち、ＴＳストリーマ部１８から出力されたコンテンツではなく、（系統１）からのコンテンツ、すなわち、各エンコーダ２２（＃１〜＃３）から出力されたＨＤ素材情報、１ｓｅｇ素材情報、およびＳＤ素材情報を多重化してなるコンテンツとするように切り替える。
【００４７】
そして、緊急時が終了し、または、異常時から復旧し、再び通常時になった場合、ＭＵＸ２４は、コンテンツを送出する系統を（系統１）から（系統０）へ復帰させ、復帰後、所定時間経過後に、（系統０）からのコンテンツの送出を開始する。
【００４８】
次に、以上のように構成した第１の実施形態に係るコンテンツ送出方法が適用されたコンテンツ送出システムの動作について説明する。
【００４９】
図２は、コンテンツ送出システム１０の各系統の動作タイミングの一例を示す図である。
【００５０】
コンテンツ送出システム１０では、リハーサル放送が実施され、放送用の映像音声のコンテンツが収録され、さらにＱＣが実施された上で、ＴＳストリーマ部１８へ記憶される（Ｓ１）。
【００５１】
リハーサル放送では、あらかじめ番組を構成する要素や時刻が決まった時点で、放送時と同一条件で、効果処理部１２（＃１〜＃３）と等価な性能を有する３つの効果処理部（図示せず）によって、ＨＤ素材情報、１ｓｅｇ素材情報、およびＳＤ素材情報に対してそれぞれ番組とＣＭとの切替処理、スーパー処理、およびＬ字処理等といった効果処理が実施される。
【００５２】
さらに、効果処理された各素材情報が、エンコーダ２２（＃１〜＃３）と等価な性能を有する３つのエンコーダ（図示せず）によってそれぞれエンコードされる。このようにして生成された映像音声のコンテンツは、オペレータによる目視あるいは専用装置によってＱＣが実施された後に、ＴＳストリーマ部１８に記憶される。
【００５３】
なお、エンコーダによるエンコード時の符号化パラメータは、メタデータ保存部１６に保存される。
【００５４】
予定されている放送時刻になると、通常時であれば（すなわち、緊急時でも異常時でもなければ）、ＴＳストリーマ部１８から、記憶されている映像音声のコンテンツが、直接、ＩＳＤＢのフレーム構造で、ＳＴＣ／ＧＯＰ同期信号出力部１４からの同期信号に従って、ＭＵＸ２４へ、ＴＳとして出力される。
【００５５】
なお、ＴＳストリーマ部１８とＭＵＸ２４との間に介在する機器は存在しないので、機器故障による放送不体裁の可能性が低減される。
【００５６】
ＴＳストリーマ部１８からＴＳとして出力されたコンテンツは、ＭＵＸ２４によって、放送のために、ＳＴＣ／ＧＯＰ同期信号出力部１４から出力される同期信号に従って送出される。このようにして、通常時には、（系統０）からのコンテンツがＴＳとして送出され、放送される（Ｓ２）。
【００５７】
なお、このように、（系統０）からのコンテンツが送出されている間、（系統１）では、以下に説明するような効果処理が、放送の進行にあわせてリアルタイムで実施される。
【００５８】
すなわち、（系統０）からのコンテンツが送出されている間、（系統１）では、（系統０）から送出されているコンテンツに対応する素材情報に対して、効果処理部１２による効果処理が、放送の進行にあわせてリアルタイムで実施される（Ｓ３）。
【００５９】
具体的には、効果処理部１２（＃１）では、ＴＳストリーマ部１８から出力されているコンテンツに対応するＨＤ素材情報に対して、効果処理部１２（＃２）では、ＴＳストリーマ部１８から出力されているコンテンツに対応する１ｓｅｇ素材情報に対して、効果処理部１２（＃３）では、ＴＳストリーマ部１８から出力されているコンテンツに対応するＳＤ素材情報に対して、それぞれ効果処理が実施され、処理後の素材情報が、それぞれ対応するエンコーダ２２（＃１〜＃３）へ出力される。
【００６０】
各エンコーダ２２（＃１〜＃３）では、それぞれ対応する効果処理部１２（＃１〜＃３）から出力された素材情報が、メタデータ保存部１６に保存された符号化パラメータと、エンコーダ制御情報とに従ってエンコードされる。エンコードされた素材情報は、ＳＴＣ／ＧＯＰ同期信号出力部１４からの同期信号に従って、各エンコーダ２２（＃１〜＃３）からＭＵＸ２４へ出力される。
【００６１】
このようにして、エンコーダ２２（＃１〜＃３）によってエンコードされた素材情報は、ＭＵＸ２４へ出力される。
【００６２】
ＭＵＸ２４では、このようにして各エンコーダ２２（＃１〜＃３）から出力された各素材情報が多重化され、ＴＳストリーマ部１８からコンテンツが出力されるのと同期して映像音声のコンテンツが生成される。しかしながら、ＭＵＸ２４からは、通常時には、放送のために、（系統０）からのコンテンツが送出され、（系統１）で生成されたコンテンツは送出されない。
【００６３】
一方、緊急時または異常時になると、（系統０）からのコンテンツの送出は停止され、代わりに、（系統１）で生成されたコンテンツが送出されるように切り替えがなされる（Ｓ４）。
【００６４】
緊急時には、例えば、気象庁や、テレビ局内の番組編成部から、緊急時制御情報が通知され、異常時であることは、ＭＵＸ２４によって検知される。
【００６５】
緊急時制御情報が通知された場合、または、異常時であることが検知された場合、効果処理部１２（＃１〜＃３）によって、映像が画面右上側に表示されるような縮小処理が行われ、その結果得られる画面左側のＬ字形領域に、文字スーパーを表示あるいはスクロールするような効果処理が行われる。そして、このように効果処理された素材情報が、対応するエンコーダ２２（＃１〜＃３）へ出力される。
【００６６】
各エンコーダ２２（＃１〜＃３）では、対応する効果処理部１２（＃１〜＃３）から出力された素材情報が、前述したようにエンコードされ、ＭＵＸ２４へ出力される。
【００６７】
ＭＵＸ２４では、出力された素材情報が多重化され、ＴＳストリーマ部１８からコンテンツが出力されるのと同期して、映像音声のコンテンツが生成され、放送用のコンテンツとして送出される。このようにして、緊急時および異常時には、（系統０）からのコンテンツの送出が停止され、代わりに、（系統１）からコンテンツが送出されるように切り替えられる。
【００６８】
これによって、通常時には、（系統０）から、あらかじめ収録された映像音声のコンテンツが送出され、緊急時および異常時には、（系統１）から、スーパー文字の挿入等、必要な効果処理がなされたコンテンツが、品質を低下させることなく送出される。
【００６９】
しかも、各エンコーダ２２（＃１〜＃３）におけるエンコードは、事前収録時になされたエンコードで使用されたものと同一の符号化パラメータに従ってなされ、かつ、ＴＳストリーマ部１８からＭＵＸ２４へ映像音声のコンテンツが出力されるタイミングと、エンコーダ２２によってエンコードされた映像音声のコンテンツが、ＭＵＸ２４において生成されるタイミングとが同期されているので、緊急時および異常時における（系統０）から（系統１）への切替におけるショックがなくなり、シームレスな切替が実現される。
【００７０】
なお、符号量制御が同期していれば、シームレスな切り替えが可能であるが、さらに、エンコーダ２２が、切替後のコンテンツの最初のＧＯＰがクローズドＧＯＰになるように、素材情報をエンコードすることによって、コンテンツのＧＯＰ境界で切り替えを行うことが好ましい。
【００７１】
そして、緊急時が終了し、または、異常時から復旧し、再び通常時になると、（系統１）からのコンテンツの送出から、（系統０）からのコンテンツの送出へ復帰し、復帰後、所定時間経過後に、（系統０）からのコンテンツの送出が再開される（Ｓ５）。
【００７２】
これにより、（系統１）からのコンテンツの送出は停止されるが、その間も、（系統１）では、ステップＳ３で説明したように、（系統０）から送出されている映像音声に対応する素材情報に対して、効果処理部１２による効果処理が、放送の進行にあわせてリアルタイムで実施される（Ｓ６）。
【００７３】
上述したように、第１の実施形態に係るコンテンツ送出システム１０によれば、（系統０）において、番組が実際に放送される状態と同じ条件で映像音声のコンテンツをあらかじめ作成し、ＱＣ実施後に、ＴＳストリーマ部１８へ記憶しておき、通常時には、放送のために、送出することができる。
【００７４】
放送のために送出されるコンテンツは、ＱＣ実施済みであるので、不体裁な低品質の映像が放送される可能性を低減することができる。また、ＴＳストリーマ部１８からＭＵＸ２４への映像音声のコンテンツの出力は、直接、ＩＳＤＢのフレーム構造としてなされ、ＴＳストリーマ部１８とＭＵＸ２４との間に多くの機器を介する必要がなくなり、これら機器の故障による放送不体裁のリスクを低減することができる。
【００７５】
なお、生成された映像音声の画質が低品質であることがＱＣ実施時に発見された場合には、符号化パラメータを変更して再度エンコードする等によって、許容可能な品質の映像音声のコンテンツを生成し、ＴＳストリーマ部１８へ記憶すればよい。
【００７６】
また、コンテンツ送出システム１０は、通常時に（系統０）から映像音声のコンテンツが送出されている間、（系統１）において、（系統０）から送出されている映像音声に対応する素材情報に対して、効果処理を、放送の進行にあわせてリアルタイムで実施することができる。
【００７７】
これによって、通常時には、（系統０）から、あらかじめ収録された映像音声のコンテンツを送出することができる一方、緊急時および異常時には、（系統１）から、スーパー文字の挿入等、必要な効果処理がなされた映像音声のコンテンツを、品質を低下させることなく送出することが可能となる。
【００７８】
しかも、各エンコーダ２２（＃１〜＃３）におけるエンコードは、事前収録時になされたエンコードで使用されたものと同一の符号化パラメータに従ってなされ、かつ、ＴＳストリーマ部１８からＭＵＸ２４へコンテンツが出力されるタイミングと、エンコーダ２２によってエンコードされた映像音声のコンテンツが、ＭＵＸ２４において生成されるタイミングとが同期されているので、緊急時および異常時における（系統０）から（系統１）への切替におけるショックがなくなり、シームレスな切替を実現することができる。
【００７９】
さらには、緊急時が終了し、または、異常時から復旧し、再び通常時になると、（系統１）からのコンテンツの送出から、（系統０）からのコンテンツの送出へと復帰させることができる。
【００８０】
［第２の実施形態］
本発明の第２の実施形態について説明する。
【００８１】
図３は、第２の実施形態に係るコンテンツ送出方法が適用されたコンテンツ送出システムの構成例を示す概念図である。
【００８２】
第２の実施形態に係るコンテンツ送出システム１１は、第１の実施形態に係るコンテンツ送出システム１０の変形例である。従って、以下の説明では、第１の実施形態と異なる構成要素について説明し、同一の構成要素については、図１と同一符号を付することによって、重複説明を避ける。なお、図３は、一例として３×２のエンコーダ２２を図示しているが、エンコーダ２２の数は、３×２に限定されず、２×２以下、あるいは、４×２以上であっても良い。
【００８３】
コンテンツ送出システム１１は、効果処理部１２（＃１〜＃６）と、ＳＴＣ／ＧＯＰ同期信号出力部１４と、メタデータ保存部１６と、ＴＳストリーマ部１８と、エンコーダ２２（＃１〜＃６）と、ＭＵＸ２４（＃１〜＃２）と、スプライサ２６とを備える。効果処理部１２（＃１〜＃６）、ＳＴＣ／ＧＯＰ同期信号出力部１４、メタデータ保存部１６、ＴＳストリーマ部１８、エンコーダ２２（＃１〜＃６）、ＭＵＸ２４（＃１〜＃２）、およびスプライサ２６は、必ずしも同一場所に配置されている必要はなく、それぞれ遠隔地に配置されたシステム構成でも良い。
【００８４】
なお、本実施形態では、ＴＳストリーマ部１８からスプライサ２６への系統を（系統０）、効果処理部１２（＃１〜＃３）から、エンコーダ２２（＃１〜＃３）を経由して、ＭＵＸ２４（＃１）へ至る系統を（系統１）、効果処理部１２（＃４〜＃６）から、エンコーダ２２（＃４〜＃６）を経由して、ＭＵＸ２４（＃２）へ至る系統を（系統２）と称する。
【００８５】
ＳＴＣ／ＧＯＰ同期信号出力部１４は、ＴＳストリーマ部１８、各エンコーダ２２（＃１〜＃６）、およびＭＵＸ２４（＃１〜＃２）へ同期信号を出力することによって、ＴＳストリーマ部１８、各エンコーダ２２（＃１〜＃６）、および各ＭＵＸ２４（＃１〜＃２）の図示しないＳＴＣカウンタのカウンタ値を一致させる。これによって、ＴＳストリーマ部１８からスプライサ２６へ、映像音声のコンテンツがストリームとして出力されるタイミングと、各エンコーダ２２（＃１〜＃３）によってエンコードされた映像音声のコンテンツが、ＭＵＸ２４（＃１）における多重化によって生成され、スプライサ２６へ出力されるタイミングと、緊急時や異常時に各エンコーダ２２（＃４〜＃６）によってエンコードされた映像音声のコンテンツが、ＭＵＸ２４（＃２）における多重化によって生成され、スプライサ２６へ出力されるタイミングとを同期させる。
【００８６】
ＴＳストリーマ部１８は、放送前に収録され、ＱＣ実施済の映像音声のコンテンツを記憶している。このコンテンツは、例えば、放送前に実施されるリハーサル放送において、（系統２）において作成される。
【００８７】
リハーサル放送では、あらかじめ番組を構成する要素や時刻が決まった時点で、放送時と同一条件で、効果処理部１２（＃１〜＃３）と等価な性能を有する各効果処理部１２（＃４〜＃６）によって、ＨＤ素材情報、１ｓｅｇ素材情報、およびＳＤ素材情報に対してそれぞれ、番組とＣＭとの切替処理、スーパー処理、およびＬ字処理等といった効果処理を実施する。さらに、効果処理されたこれら各素材情報を、エンコーダ２２（＃１〜＃３）と等価な性能を有するエンコーダ２２（＃４〜＃６）がそれぞれエンコードし、さらに、ＭＵＸ２４（＃１）と等価な性能を有するＭＵＸ２４（＃２）が多重化することによって、映像音声のコンテンツを生成する。
【００８８】
このように、効果処理部１２（＃１〜＃３）と効果処理部１２（＃４〜＃６）、エンコーダ２２（＃１〜＃３）とエンコーダ２２（＃４〜＃６）、および、ＭＵＸ２４（＃１）とＭＵＸ２４（＃２）は、それぞれ等価な性能を有していることから、（系統１）と（系統２）とは、同一の機能および性能を有する冗長構成をしている。
【００８９】
ＭＵＸ２４（＃２）は、生成した映像音声のコンテンツを、ＴＳストリーマ部１８へ出力する。出力された映像音声のコンテンツは、オペレータによる目視あるいは専用装置によってＱＣが実施された後に、ＴＳストリーマ部１８に記憶される。
【００９０】
エンコーダ２２（＃４〜＃６）は、符号化パラメータを、メタデータ保存部１６へ出力し、メタデータ保存部１６は、これら符号化パラメータを保存する。
【００９１】
コンテンツ送出システム１１では、ＴＳストリーマ部１８は、コンテンツ送出システム１０とは異なり、映像音声のコンテンツを、ＭＵＸではなく、スプライサ２６へ出力する。
【００９２】
スプライサ２６には、ＴＳストリーマ部１８のみならず、ＭＵＸ２４（＃１）およびＭＵＸ２４（＃２）も接続されている。すなわち、スプライサ２６には、（系統０）のみならず、（系統１）および（系統２）も接続されている。
【００９３】
（系統１）における効果処理部１２（＃１〜＃３）およびエンコーダ２２（＃１〜＃３）は、コンテンツ送出システム１０における効果処理部１２（＃１〜＃３）およびエンコーダ２２（＃１〜＃３）と同一であるので、説明を省略する。ＭＵＸ２４（＃１）は、各エンコーダ２２（＃１〜＃３）から出力された映像音声を多重化することによってコンテンツを生成し、このコンテンツをスプライサ２６へ出力する。
【００９４】
通常時には、スプライサ２６は、放送のために、（系統０）からののコンテンツを送出する。その間、（系統１）は、コンテンツ送出システム１０で説明したような効果処理、エンコード、および多重化を行うことによって、ＴＳストリーマ部１８からスプライサ２６へ出力されている映像音声に対応する素材情報に対して、番組とＣＭとの切り替え、スーパーやＬ字処理といった効果処理を、放送の進行にあわせてリアルタイムで実施する。
【００９５】
一方、（系統２）は、通常時には、（系統０）からのコンテンツがスプライサ２６から送出されている間、別の番組のために、前述したようなリハーサル放送を行い、生成した映像音声のコンテンツを、ＴＳストリーマ部１８へ出力するとともに、エンコーダ２２（＃４〜＃６）は、エンコードに使用した符号化パラメータを、メタデータ保存部１６へ出力し、保存させる。
【００９６】
一方、緊急時および異常時には、スプライサ２６は、（系統０）からのコンテンツの送出を停止し、（系統１）からのコンテンツを送出するように切り替える。このような切替の概念は、コンテンツ送出システム１０におけるものと同様であるが、コンテンツ送出システム１０では、ＭＵＸ２４によって実施されていたものが、コンテンツ送出システム１１では、スプライサ２６によって実施される点が異なる。
【００９７】
スプライサ２６によってこのような切替がなされると、（系統２）は、リハーサル放送を実施中であってもリハーサル放送の実施を中断し、（系統１）が（系統０）に対して担っていた役割を果たすように動作する。
【００９８】
つまり、（系統２）は、緊急時および異常時には、（系統１）の冗長系として動作し、効果処理部１２（＃４〜＃６）による効果処理、エンコーダ２２（＃４〜＃６）によるエンコード、およびＭＵＸ２４（＃２）による多重化によって、（系統１）から送出されている映像音声に対応する素材情報に対して、番組とＣＭとの切り替え、スーパーやＬ字処理といった効果処理を、放送の進行にあわせてリアルタイムで実施し、ＭＵＸ２４（＃２）は、このように効果処理された映像音声を多重化してコンテンツを生成し、このコンテンツをスプライサ２６へ出力する。
【００９９】
コンテンツ送出システム１１は、このようにして、緊急時および異常時には、（系統２）が（系統１）の予備系統として動作することによって、万が一、（系統１）に異常が生じた場合であっても、（系統２）から出力されるコンテンツを送出することができるので、高い冗長性を確保している。
【０１００】
そして、緊急時が終了し、または、異常時から復旧し、再び通常時になった場合、スプライサ２６は、コンテンツを送出する系統を（系統１）から、（系統０）へ復帰させる。これに伴い、（系統２）も、（系統１）の予備系統としての動作を終了し、前述したように、別の番組のためのリハーサル放送の実施を再開し、生成した映像音声のコンテンツをＴＳストリーマ部１８へ出力するとともに、符号化パラメータを、メタデータ保存部１６へ出力する。
【０１０１】
なお、図３は、メタデータ保存部１６およびＴＳストリーマ部１８がそれぞれ、（系統２）の各エンコーダ２２（＃４〜＃６）およびＭＵＸ２４（＃２）に接続されている構成例を示している。しかしながら、メタデータ保存部１６およびＴＳストリーマ部１８は、各エンコーダ２２（＃４〜＃６）およびＭＵＸ２４（＃２）に必ずしも接続されている必要はなく、例えば記憶媒体を介することによって、オフラインで、符号化パラメータおよび映像音声を受信するようにしても良い。
【０１０２】
また、図３は、（系統１）および（系統２）のように、エンコーダ２２を備える系統が、ＴＳストリーマ部１８を備えていない構成例を示しているが、（系統１）および（系統２）のうちの少なくとも何れかがＴＳストリーマ部１８を備えていても良い。
【０１０３】
次に、以上のように構成した第２の実施形態に係るコンテンツ送出方法が適用されたコンテンツ送出システムの動作について説明する。
【０１０４】
図４は、コンテンツ送出システム１１の各系統の動作タイミングの一例を示す図である。
【０１０５】
コンテンツ送出システム１１では、コンテンツ送出システム１０と同様に、先ず、例えば、放送前に実施されるリハーサル放送において、放送用の映像音声のコンテンツが収録され、さらにＱＣが実施された上で、ＴＳストリーマ部１８へ記憶される。しかしながら、コンテンツ送出システム１１では、これは（系統２）によって行われる（Ｓ１１）。
【０１０６】
すなわち、リハーサル放送では、あらかじめ番組を構成する要素や時刻が決まった時点で、放送時と同一条件で、効果処理部１２（＃４〜＃６）によって、ＨＤ素材情報、１ｓｅｇ素材情報、およびＳＤ素材情報に対してそれぞれ、番組とＣＭとの切替処理、スーパー処理、およびＬ字処理等といった効果処理が実施される。
【０１０７】
さらに、効果処理された各素材情報が、エンコーダ２２（＃４〜＃６）によってそれぞれエンコードされる。このようにして生成された映像音声のコンテンツは、オペレータによる目視あるいは専用装置によってＱＣが実施された後に、ＴＳストリーマ部１８に記憶される。
【０１０８】
なお、エンコーダ２２（＃４〜＃６）によるエンコード時の符号化パラメータは、エンコーダ２２（＃４〜＃６）からメタデータ保存部１６へ出力され、メタデータ保存部１６において保存される。
【０１０９】
予定されている放送時刻になると、通常時であれば（すなわち、緊急時でも異常時でもなければ）、（系統０）のＴＳストリーマ部１８から、記憶されている映像音声のコンテンツが、直接、ＩＳＤＢのフレーム構造で、ＳＴＣ／ＧＯＰ同期信号出力部１４から出力される同期信号に従って、スプライサ２６へ、ＴＳとして出力される。
【０１１０】
なお、ＴＳストリーマ部１８とスプライサ２６との間に介在する機器は存在しないので、機器故障による放送不体裁の可能性が低減される。
【０１１１】
ＴＳストリーマ部１８からＴＳとして出力されたコンテンツは、スプライサ２６によって、放送のために、ＳＴＣ／ＧＯＰ同期信号出力部１４から出力される同期信号に従って送出される。このようにして、通常時には、（系統０）からのコンテンツが送出され、放送される（Ｓ１２）。
【０１１２】
なお、このように、（系統０）からのコンテンツが送出されている間、（系統１）では、ステップＳ３で説明したような効果処理が、放送の進行にあわせてリアルタイムで実施される（Ｓ１３）。また、（系統２）では、ステップＳ１１で説明したように、別の番組のためのリハーサル放送が行われることによって、別の番組の放送用の映像音声のコンテンツを収録することができる（Ｓ１４）。
【０１１３】
しかしながら、緊急時または異常時になると、スプライサ２６からは、（系統０）からのコンテンツの送出は停止され、代わりに、（系統１）で生成されたコンテンツが送出されるように切り替えられる（Ｓ１５）。同時に、（系統２）では、実施中のリハーサル放送が中断され、（系統２）は、（系統１）によって実施されていたステップＳ１３の処理を、（系統１）の代わりに実施する冗長系として機能するようになる（Ｓ１６）。
【０１１４】
これによって、（系統２）では、効果処理部１２（＃４〜＃６）による効果処理、エンコーダ２２（＃４〜＃６）によるエンコード、およびＭＵＸ２４（＃２）による多重化によって、（系統１）から送出されている映像音声に対応する素材情報に対する効果処理が、放送の進行にあわせてリアルタイムで実施され、ＭＵＸ２４（＃２）によって多重化された映像音声のコンテンツが、スプライサ２６へ出力される。
【０１１５】
したがって、緊急時において、さらに（系統１）に異常が発生し、（系統１）から映像音声のコンテンツを送出することができない異常時になった場合であっても、スプライサ２６が、（系統２）からのコンテンツの送出に切り替えることによって、シームレスに放送を継続することができる。
【０１１６】
そして、緊急時が終了し、または、異常時から復旧し、再び通常時になると、（系統１）からのコンテンツの送出から、（系統０）からのコンテンツの送出へと復帰され、復帰後、所定時間経過後に、（系統０）からのコンテンツの送出が再開される（Ｓ１７）。
【０１１７】
これにより、（系統１）からのコンテンツの送出は停止されるが、その後も、（系統１）では、ステップＳ１３で説明したように、（系統０）において出力されている映像音声に対応する素材情報に対して、効果処理部１２（＃１〜＃３）による効果処理が、放送の進行にあわせてリアルタイムで実施される（Ｓ１８）。
【０１１８】
また、（系統２）は、ステップＳ１６のような（系統１）の予備系統としての動作を終了し、ステップＳ１１で説明したように、別の番組のためのリハーサル放送を再開し、別の番組のための放送用の映像音声のコンテンツを収録できるようになる（Ｓ１９）。
【０１１９】
上述したように、第２の実施形態に係るコンテンツ送出システム１１によれば、（系統０）および（系統１）において、コンテンツ送出システム１０で説明したような作用効果を奏することができることに加えて、（系統２）において、通常時には、（系統０）からコンテンツが送出されている間に、リハーサル放送を行うことによって、別の番組のための映像音声のコンテンツを収録することができる一方、緊急時および異常時には、（系統１）の予備系統として機能することができるので、緊急時においてさらに（系統１）に異常が発生し、（系統１）からコンテンツを送出できない異常時になった場合であっても、（系統１）の代わりに（系統２）からのコンテンツを送出することができるので、より高い冗長性を確保しつつ、品質を低下させることなく、放送をシームレスに継続することが可能となる。
【０１２０】
なお、コンテンツ送出システム１１では、生放送時には、従来と同様に、（系統１）と（系統２）で冗長系統を構成することもできる。
【０１２１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２２】
１０、１１・・コンテンツ送出システム、１２・・効果処理部、１４・・ＳＴＣ／ＧＯＰ同期信号出力部、１６・・メタデータ保存部、１８・・ＴＳストリーマ部、２０・・符号化部、２２・・エンコーダ、２４・・多重化装置（ＭＵＸ）、２６・・スプライサ。
【図１】
2019197966.tif 000003
【図２】
2019197966.tif 000004
【図３】
2019197966.tif 000005
【図４】
2019197966.tif 000006